【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
ビデオ情報をコード化するように構成される装置であって、
参照レイヤ（ＲＬ）及び拡張レイヤ（ＥＬ）と関連するビデオ情報を記憶するように構成されるメモリと、前記ＲＬが、前記ＲＬの適合性クロッピングウィンドウに対応する出力領域を有するＲＬピクチャを備え、前記ＥＬが、前記ＲＬピクチャに対応するＥＬピクチャを備え、
前記メモリと通信するプロセッサと、を備え、前記プロセッサは、
前記ＥＬピクチャの現在のブロックが前記出力領域の外側にある前記ＲＬピクチャの中の領域に少なくとも部分的に対応することを決定し、
前記出力領域の外側にある前記ＲＬの前記領域と関連する情報が前記ＥＬピクチャの中の前記現在のブロックを予測する際に使用するために前記装置に利用できるかどうかを、条件に基づいて、決定することと、ここにおいて、前記条件が、(i)前記ＲＬピクチャ及び前記ＥＬピクチャが同じ幅及び高さを有するかどうか、(ii)前記ＲＬが高効率ビデオコード化（ＨＥＶＣ）に適合するかどうか、及び(iii)前記ＲＬに関連するレイヤ識別子（ＩＤ）値がゼロに等しいかどうかの１つ以上を備え、
(i)満たす前記条件に基づいて前記出力領域の外側にある前記ＲＬピクチャの中の前記領域と関連する前記情報を使用して前記現在のブロックを符号化又は復号すること、又は(ii)満たさない前記条件に基づいて前記出力領域の外側にある前記ＲＬピクチャの中の前記領域と関連する前記情報を使用せずに前記現在のブロックを符号化又は復号することの一方を実行することと、
を行うように構成される、装置。
【請求項２】
前記出力領域が前記ＲＬピクチャより小さい、請求項１に記載の装置。
【請求項３】
前記装置はエンコーダを備え、前記プロセッサは前記出力領域の外側にある前記ＲＬピクチャの中の前記領域と関連する前記情報を使用して前記ＥＬの前記現在のブロックを符号化するように更に構成される、請求項１に記載の装置。
【請求項４】
前記装置はデコーダを備え、前記プロセッサは前記出力領域の外側にある前記ＲＬピクチャの中の前記領域と関連する前記情報を使用して前記ＥＬの前記現在のブロックを復号するように更に構成される、請求項１に記載の装置。
【請求項５】
前記装置は、コンピュータ、ノートパソコン、ラップトップコンピュータ、タブレットコンピュータ、セットトップボックス、テレフォンハンドセット、スマートフォン、スマートパッド、テレビ、カメラ、表示装置、デジタルメディアプレーヤ、ビデオゲームコンソール及び車載コンピュータから成るグループから選択されたデバイスを備える、請求項１に記載の装置。
【請求項６】
前記プロセッサは、前記ＲＬが前記ＲＬをコード化するために使用されるコーデックに基づくＨＥＶＣに適合するかどうかを決定するように更に構成される、請求項１に記載の装置。
【請求項７】
前記プロセッサは、前記ＲＬをコード化するために使用される前記コーデックが高度ビデオコード化（ＡＶＣ）コーデックであるかどうかを示すフラグを処理することによって前記ＲＬがＨＥＶＣに適合するかどうかを決定するように更に構成される請求項６に記載の装置。
【請求項８】
前記プロセッサは、前記条件が第１のフラグと第２のフラグを処理することによって少なくとも部分的に満たされるかどうかを決定するようにさらに構成され、前記第１のフラグは、前記現在のブロックのテクスチャ情報が前記出力領域の外側にある前記ＲＬピクチャの中の前記領域と関連する前記情報を使用して予測されることができるかどうかを示し、前記第２のフラグは、前記現在のブロックのシンタックス情報が前記出力領域の外側にある前記ＲＬピクチャの中の前記領域と関連する前記情報を使用して予測されることができるかどうかを示す、請求項１に記載の装置。
【請求項９】
前記第２のフラグの値が前記第１のフラグの値に依存する、請求項８に記載の装置。
【請求項１０】
前記プロセッサが、前記条件が前記ＲＬピクチャ及び前記ＥＬピクチャが同じ幅及び高さを有するかどうかを決定することによって満たされるかどうかを決定するように構成される、請求項１に記載の装置。
【請求項１１】
前記プロセッサが、前記条件が前記ＲＬのレイヤＩＤ値がゼロに等しいかどうかを決定することによって満たされるかどうかを決定するように構成される、請求項１に記載の装置。
【請求項１２】
前記プロセッサが、前記条件がフラグを処理することによって満たされるかどうかを決定するように構成される、請求項１に記載の装置。
【請求項１３】
前記フラグの値が、前記ＲＬをコード化するために使用されるコーデックに基づいて決定される、請求項１２に記載の装置。
【請求項１４】
ビデオ情報をコード化する方法であって、
参照レイヤ（ＲＬ）及び拡張レイヤ（ＥＬ）と関連するビデオ情報を記憶することと、前記ＲＬが、前記ＲＬの適合性クロッピングウィンドウに対応する出力領域を有するＲＬピクチャを備え、前記ＥＬが、前記ＲＬピクチャに対応するＥＬピクチャを備え、
前記ＥＬピクチャの現在のブロックが前記出力領域の外側にある前記ＲＬピクチャの中の領域に少なくとも部分的に対応することを決定することと、
前記出力領域の外側にある前記ＲＬの前記領域と関連する情報が前記ＥＬピクチャの中の前記現在のブロックを予測するための前記ビデオ情報のコード化中に利用できるかどうかを、条件に基づいて、決定することと、ここにおいて、前記条件が、(i)前記ＲＬピクチャ及び前記ＥＬピクチャが同じ幅及び高さを有するかどうか、(ii)前記ＲＬが高効率ビデオコード化（ＨＥＶＣ）に適合するかどうか、及び(iii)前記ＲＬに関連するレイヤ識別子（ＩＤ）値がゼロに等しいかどうかの１つ以上を備え、
(i)満たす前記条件に基づいて前記出力領域の外側にある前記ＲＬピクチャの中の前記領域と関連する前記情報を使用して前記現在のブロックを符号化又は復号すること、又は(ii)満たさない前記条件に基づいて前記出力領域の外側にある前記ＲＬピクチャの中の前記領域と関連する前記情報を使用せずに前記現在のブロックを符号化又は復号することの一方を実行することと、
を備える、方法。
【請求項１５】
前記出力領域が前記ＲＬピクチャより小さい、請求項１４に記載の方法。
【請求項１６】
前記ＲＬが前記ＲＬをコード化するために使用されるコーデックに基づくＨＥＶＣに適合するかどうかを決定することを更に備える、請求項１４に記載の方法。
【請求項１７】
前記ＲＬをコード化するために使用される前記コーデックが高度ビデオコード化（ＡＶＣ）コーデックであるかどうかを示すフラグに基づいて前記ＲＬがＨＥＶＣに適合するかどうかを決定することを更に備える、請求項１６に記載の方法。
【請求項１８】
前記条件が満たされるかどうかを決定することは、
前記現在のブロックのテクスチャ情報が前記出力領域の外側にある前記ＲＬピクチャの中の前記領域と関連する前記情報を使用して予測されることができるかどうかを示す第１のフラグを処理することと、
前記現在のブロックのシンタックス情報が前記出力領域の外側にある前記ＲＬピクチャの中の前記領域と関連する前記情報を使用して予測されることができるかどうかを示す第２のフラグを処理すること
を備える、請求項１４に記載の方法。
【請求項１９】
前記第２のフラグの値が前記第１のフラグの値に依存する、請求項１８の方法。
【請求項２０】
前記条件が満たされるかどうかを決定することは、前記ＲＬピクチャ及び前記ＥＬピクチャが同じ幅及び高さを有するかどうか決定することを備える、請求項１４に記載の方法。
【請求項２１】
前記条件が満たされるかどうかを決定することは、前記ＲＬのレイヤＩＤ値がゼロに等しいかどうかを決定することを備える、請求項１４の方法。
【請求項２２】
前記条件が満たされるかどうかを決定することは、フラグを処理することを備え、前記フラグの値が前記ＲＬをコード化するために使用されるコーデックに基づいて決定される、請求項１４に記載の方法。
【請求項２３】
実行されたときに装置に
参照レイヤ（ＲＬ）及び拡張レイヤ（ＥＬ）と関連するビデオ情報を記憶することと、前記ＲＬが、前記ＲＬの適合性クロッピングウィンドウに対応する出力領域を有するＲＬピクチャを備え、前記ＥＬが、前記ＲＬピクチャに対応するＥＬピクチャを備え、
前記ＥＬピクチャの現在のブロックが前記出力領域の外側にある前記ＲＬピクチャの中の領域に少なくとも部分的に対応することを決定することと、
前記出力領域の外側にある前記ＲＬの前記領域と関連する情報が前記ＥＬピクチャの中の前記現在のブロックを予測する際に使用するために前記装置に利用できるかどうかを、条件に基づいて、決定することと、ここにおいて、前記条件が、(i)前記ＲＬピクチャ及び前記ＥＬピクチャが同じ幅及び高さを有するかどうか、(ii)前記ＲＬが高効率ビデオコード化（ＨＥＶＣ）に適合するかどうか、及び(iii)前記ＲＬに関連するレイヤ識別子（ＩＤ）値がゼロに等しいかどうかの１つ以上を備え、
(i)満たす前記条件に基づいて前記出力領域の外側にある前記ＲＬピクチャの中の前記領域と関連する前記情報を使用して前記現在のブロックを符号化又は復号すること、又は(ii)満たさない前記条件に基づいて前記出力領域の外側にある前記ＲＬピクチャの中の前記領域と関連する前記情報を使用せずに前記現在のブロックを符号化又は復号することの一方を実行することと、
を実行させるコードを記憶した、コンピュータ可読記憶媒体。
【請求項２４】
前記コードが、更に、前記装置に前記条件が、前記ＲＬピクチャ及び前記ＥＬピクチャが同じ幅及び高さを有するかどうかに基づいて満たされるかどうかを決定させる、請求項２３に記載のコンピュータ可読記憶媒体。
【請求項２５】
前記コードが、更に、前記装置に前記条件が、前記ＲＬのレイヤＩＤ値がゼロに等しいかどうかに基づいて満たされるかどうか決定させる、請求項２３に記載のコンピュータ可読記憶媒体。
【請求項２６】
前記コードが、更に、前記装置に前記条件がフラグに基づいて満たされるかどうか決定させる、請求項２３に記載のコンピュータ可読記憶媒体。
【請求項２７】
ビデオ情報をコード化するように構成されたビデオコード化装置であって、
参照レイヤ（ＲＬ）及び拡張レイヤ（ＥＬ）と関連するビデオ情報を記憶するための手段と、前記ＲＬが、前記ＲＬの適合性クロッピングウィンドウに対応する出力領域を有するＲＬピクチャを備え、前記ＥＬが、前記ＲＬピクチャに対応するＥＬピクチャを備え、
前記ＥＬピクチャの現在のブロックが前記出力領域の外側にある前記ＲＬピクチャの中の領域に少なくとも部分的に対応することを決定するための手段と、
前記出力領域の外側にある前記ＲＬの前記領域と関連する情報が前記ＥＬピクチャの中の前記現在のブロックを予測する際に使用するために前記ビデオコード化装置に利用できるかどうかを、条件に基づいて、決定するための手段と、ここにおいて、前記条件が、(i)前記ＲＬピクチャ及び前記ＥＬピクチャが同じ幅及び高さを有するかどうか、(ii)前記ＲＬが高効率ビデオコード化（ＨＥＶＣ）に適合するかどうか、及び(iii)前記ＲＬに関連するレイヤ識別子（ＩＤ）値がゼロに等しいかどうかの１つ以上を備え、
(i)満たす前記条件に基づいて前記出力領域の外側にある前記ＲＬピクチャの中の前記領域と関連する前記情報を使用して前記現在のブロックを符号化又は復号すること、又は(ii)満たさない前記条件に基づいて前記出力領域の外側にある前記ＲＬピクチャの中の前記領域と関連する前記情報を使用せずに前記現在のブロックを符号化又は復号することの一方を実行するための手段と、
を備える、ビデオコード化装置。
【請求項２８】
前記条件が、前記ＲＬピクチャ及び前記ＥＬピクチャが同じ幅及び高さを有するかどうかに基づいて満たされるかどうか決定するための手段を更に備える、請求項２７に記載のビデオコード化装置。
【請求項２９】
前記条件が、前記ＲＬのレイヤＩＤ値がゼロに等しいかどうかに基づいて満たされるかどうかを決定するための手段を更に備える、請求項２７に記載のビデオコード化装置。
【請求項３０】
前記条件が、フラグに基づいて満たされるかどうかを決定するための手段を更に備える、請求項２７に記載のビデオコード化装置。